(57)【要約】【目的】外枠がフィルターを何かにぶつけてもレンズを損傷することがない衝撃吸収機能を有するとともに、関連部品を装着するための雌ネジを切ることも可能とするフィルターを提供する。【構成】デジタルカメラ、デジタルビデオカメラなどのレンズ鏡筒の前面に装着されるフィルターで、フィルターレンズとフィルターレンズを保持するレンズ保持枠とレンズ保持枠の外周部に位置する外枠からなるものであって、外枠をロックウエル硬度（ＨＲ）がＲ４０〜Ｒ１３０の合成樹脂で構成したことを特徴とする。【選択図】図１
2019086583.tif 000002
【特許請求の範囲】
【請求項１】
デジタルカメラ、デジタルビデオカメラなどのレンズ鏡筒の前面に装着されるフィルターで、フィルターレンズとフィルターレンズを保持するレンズ保持枠とレンズ保持枠の外周部に位置する外枠からなるものであって、外枠をロックウエル硬度（ＨＲ）がＲ４０〜Ｒ１３０の合成樹脂で構成したことを特徴とするフィルター。
【請求項２】
デジタルカメラ、デジタルビデオカメラなどのレンズ鏡筒の前面に装着されるフィルターで、フィルターレンズとフィルターレンズを保持するレンズ保持枠とレンズ保持枠に隣接する外枠とを一体に固着したものであって、外枠をロックウエル硬度（ＨＲ）がＲ４０〜Ｒ１３０の合成樹脂で構成したことを特徴とするフィルター。
【請求項３】
前記フィルターレンズがレンズ保持枠にレンズ押さえばね環を介して保持されていることを特徴とする請求項１または２に記載のフィルター。
【請求項４】
前記レンズ保持枠をアルミニウム（アルミニウム合金を含む）で構成したことを特徴とずる請求項１〜３のいずれかに記載のフィルター。
【発明の詳細な説明】
【技術分野】
【０００１】
本発明はデジタルカメラ、デジタルビデオカメラなどのレンズ鏡筒の前面に装着されるフィルターに関する。
【背景技術】
【０００２】
従来、デジタルカメラなどにおいては、レンズ前面に汚れやキズが生じるのを防止したり、光透過率を低減する（減光する）などの目的で、レンズ鏡筒の前面にフィルターが装着される。一般に、フィルターは、丸枠フィルターの場合には、円環状のフィルター枠に円板状のフィルターレンズを嵌合、固定して構成され、またはフィルター枠とフィルターレンズを接着剤などで固着一体として構成される。フィルター枠には、通常、内側（裏側）にレンズ鏡筒に装着するための雄ネジ部が形成され、外側（表側）には他の関連部品を装着するための雌ネジ部が形成されている。
【０００３】
フィルターは、フィルターレンズにアルミニウムなどの金属材料や繊維強化プラスチックなどからなる高分子材料を成形加工して製作されたレンズを保持するためのフィルター枠を取り付けて構成されているが、フィルターを装着したカメラを使用中にフィルターを何かにぶつけてレンズを傷めてしまうことがあり、フィルターをぶつけた時の衝撃を吸収してレンズが傷まないようにするために、レンズ保持するフィルター枠の外周部に衝撃緩衝機能を有する柔らかいエラストマーからなる外枠を設けたものが提案されている。
【０００４】
上記提案のものは、カメラの使用中にフィルターレンズを保護するために有効な手法であるが、フィルター枠の外周部に柔らかいエラストマーからなる外枠を設けた場合、柔らかい外枠に関連部品を装着するための雌ネジを切ることができないため、アルミニウムなどの金属からなるレンズを保持するためのフィルター枠を外側（表側）に延伸させ、この金属製のレンズ保持枠に雌ネジ部を形成しなければならず金属部分が長くなり、材料コスト面で不利となるなど必ずしも満足すべきものではない。
【先行技術文献】
【特許文献】
【０００５】
【特許文献１】特許第５４５６８７２号公報
【発明の概要】
【発明が解決しようとする課題】
【０００６】
本発明は、フィルターにおける上記の問題点を改善するためになされたものであり、その目的は、フィルター枠のうち外枠を特定の硬度を有する合成樹脂で構成することにより、外枠に関連部品を装着するための雌ネジを切ることを可能とするととともに、衝撃吸収機能も持たせたフィルターを提供することにある。
【課題を解決するための手段】
【０００７】
上記の目的を達成するための請求項１によるフィルターは、デジタルカメラ、デジタルビデオカメラなどのレンズ鏡筒の前面に装着されるフィルターで、フィルターレンズとフィルターレンズを保持するレンズ保持枠とレンズ保持枠の外周部に位置する外枠からなるものであって、外枠をロックウエル硬度（ＨＲ）がＲ４０〜Ｒ１３０の合成樹脂で構成したことを特徴とする。
【０００８】
請求項２によるフィルターは、デジタルカメラ、デジタルビデオカメラなどのレンズ鏡筒の前面に装着されるフィルターで、フィルターレンズとフィルターレンズを保持するレンズ保持枠とレンズ保持枠に隣接する外枠とを一体に固着したものであって、外枠をロックウエル硬度（ＨＲ）がＲ４０〜Ｒ１３０の合成樹脂で構成したことを特徴とする。
【０００９】
請求項３によるフィルターは、請求項１または２において、前記フィルターレンズがレンズ保持枠にレンズ押さえばね環を介して保持されていることを特徴とする。
【００１０】
請求項５によるフィルターは、請求項１〜３のいずれかにおいて、前記レンズ保持枠をアルミニウム（アルミニウム合金を含む）で構成したことを特徴とずる。
【発明の効果】
【００１１】
本発明に従ってフィルター枠のうち外枠を特定の硬度を有する合成樹脂で構成することにより以下の効果が達成される。  
（１）フィルターを装着したレンズの先端部分を何かにぶつけても、フィルターが衝撃を吸収するため、レンズを損傷することがない。
（２）フィルターを装着したレンズの先端部分を他人の器物、例えば、車のドアなどに当てて車を傷つけてしまうような器物損傷事故を防止できる。
（３）外枠に関連部品を装着するための雌ネジを切ることが可能となるため、金属部分を減らすことができるから、材料コスト面で有利なものとすることができる。
【００１２】
（４）フィルター枠のうちレンズ保持枠をアルミニウムで作製すれば、カメラレンズの光軸とフィルター面の直角度が正確にでるため、高画素デジタルカメラに対応することができる。
（５）その他、レンズにアルミニウムなどからなる金属製のレンズ保持枠を嵌着して組み立てた後、これに外枠を一体成形することも可能であるから、製造コストを下げることが可能となる、外枠に各種の着色を施すことが可能であるなどのメリットもある。
【図面の簡単な説明】
【００１３】
【図１】フィルターレンズとレンズ保持枠とレンズ保持枠の外周部に位置する外枠から構成される本発明によるフィルターの要部断面図であり、実施形態１（Ａ）を示す。
【図２】同じく、実施形態１（Ｂ）を示す。
【図３】同じく、実施形態１（Ｃ）を示す。
【図４】同じく、実施形態１（Ｄ）を示す。
【図５】同じく、実施形態１（Ｅ）を示す。
【図６】同じく、実施形態１（Ｆ）を示す。
【図７】同じく、実施形態１（Ｇ）を示す。
【図８】フィルターレンズとフィルターレンズを保持するレンズ保持枠とレンズ保持枠に隣接する外枠とを一体に固着して構成される本発明によるフィルターの要部断面図であり、実施形態２（Ａ）を示す。
【図９】同じく、実施形態２（Ｂ）を示す。
【図１０】同じく、実施形態２（Ｃ）を示す。
【発明を実施するための形態】
【００１４】
以下、本発明のフィルターを図面に基づいて説明する。本発明によるフィルターはデジタルカメラ、デジタルビデオカメラなど撮像機器のレンズ鏡筒の前面に装着されるフィルターであり、特に円板状のフィルターレンズが取り付けられる丸枠フィルターにとして好適に使用される。
【００１５】
本発明によるフィルターの実施形態１は、図１〜７に示すように、フィルターレンズ３とフィルターレンズ３を保持するレンズ保持枠２とレンズ保持枠２の外周部に位置する外枠１からなる。その製作は、例えば、フィルターレンズ３とアルミニウムなどからなるレンズ保持枠２とを互いに嵌合して組み立てた後、これに外枠１を一体成形で嵌め合わせることにより行われる。フィルターレンズ３がレンズ保持枠２にリン青銅などから成形されたレンズ押さえばね環４を介して保持されていることが望ましい。５は内側（裏側）（図１〜７においては下側）にレンズ鏡筒に装着するためレンズ保持枠２に形成した雄ネジ部、６は外側（表側）（図１〜７においては上側）に他の関連部品を装着するため外枠１に形成した雌ネジ部である。
【００１６】
本発明によるフィルターの実施形態２は、図８〜１０に示すように、フィルターレンズ３とフィルターレンズ３を保持するレンズ保持枠２とレンズ保持枠２に隣接する外枠１とを一体に固着したものである。固着するための手法としては、接着剤による接着、ホットメルト、融着などが適用される。この実施形態においては、図１０に示すように、フィルターレンズ３を押えるリン青銅などからなるレンズ押さえばね環４がフィルターレンズ３とレンズ保持枠２と外枠１と共に一体に固着されるのが望ましい。５は内側（裏側）（図８〜１０においては下側）にレンズ鏡筒に装着するためレンズ保持枠２に形成した雄ネジ部、６は外側（表側）（図８〜１０においては上側）に他の関連部品を装着するため外枠１に形成した雌ネジ部である。
【００１７】
本発明の最も特徴とするところは、外枠をロックウエル硬度（ＨＲ）がＲ４０〜Ｒ１３０の合成樹脂、好ましくはＲ１００〜Ｒ１２０の合成樹脂で構成したことにある。外枠１を特定の硬度を有する合成樹脂で構成することにより、フィルターを何かにぶつけてもレンズを損傷することがない衝撃吸収機能を有するとともに、図１〜１０に示すように、外枠１に関連部品を装着するための雌ネジを切ることが可能となるため、つぎのような効果も期待することができる。
【００１８】
すなわち、外枠１を柔らかいエラストマーにより構成した場合には、外枠にネジを切ることができないため、アルミニウムなどから形成されたレンズ保持枠２を外側（表側）（図１〜１０においては上側）に延伸させ、この金属製のレンズ保持枠２に雌ネジ部を形成しなければならないから金属部分が長くなり、材料コスト面で不利となるが、外枠１に関連部品を装着するための雌ネジを切ることができれば、金属部分を減らすことができるから、材料コスト面で有利なものとすることができる。
【００１９】
ロックウエル硬度（ＨＲ）は、鋼球などの圧子を特定の荷重で押し込むことにより硬さを測定する手法で、Ｒスケールは、１／２インチの鋼球を６０ｋｇの試験荷重で押し込み、窪みの深さを読み取って求めるものである。
【００２０】
本発明において適用される合成樹脂としては、熱硬化性樹脂、熱可塑性樹脂に代表される合成樹脂が適用され、エンジニアリングプラスチック、スーパーエンジニアリングプラスチックも含まれる。
【００２１】
硬度が大きくなると衝撃吸収機能が失われ、硬度が小さいと外枠１に関連部品を装着するための雌ネジを切ることが困難となる。両特性を付与するためには、硬度の上限をロックウエル硬度（ＨＲ）Ｒ１３０、硬度の下限をロックウエル硬度（ＨＲ）Ｒ４０とするのが好ましい。
【００２２】
前記実施形態１および２において、レンズ保持枠２は、アルミニウム（アルミニウム合金を含む、以下同じ）、黄銅などの銅合金のような金属材料や繊維強化プラスチックなどからなる高分子材料を成形加工して製作することができるが、アルミニウムで作製するのが好ましく、アルミニウムで作製することにより、カメラレンズの光軸とフィルター面の直角度が正確にでるため、高画素デジタルカメラに対応することができる。
【符号の説明】
【００２３】
１  外枠
２  レンズ保持枠
３  フィルターレンズ
４  レンズ押さえばね環
５  レンズ鏡筒に装着するための雄ネジ部
６  他の関連部品を装着するための雌ネジ部
【図１】
2019086583.tif 000003
【図２】
2019086583.tif 000004
【図３】
2019086583.tif 000005
【図４】
2019086583.tif 000006
【図５】
2019086583.tif 000007
【図６】
2019086583.tif 000008
【図７】
2019086583.tif 000009
【図８】
2019086583.tif 000010
【図９】
2019086583.tif 000011
【手続補正書】
【提出日】平成30年1月12日(2018.1.12)
【手続補正２】
【補正対象書類名】明細書
【補正対象項目名】００１３
【補正方法】変更
【補正の内容】
【００１３】
【図１】フィルターレンズとレンズ保持枠とレンズ保持枠の外周部に位置する外枠から構成される本発明によるフィルターの要部断面図であり、実施形態１（Ａ）を示す。
【図２】同じく、実施形態１（Ｂ）を示す。
【図３】同じく、実施形態１（Ｃ）を示す。
【図４】同じく、実施形態１（Ｄ）を示す。
【図５】同じく、実施形態１（Ｅ）を示す。
【図６】同じく、実施形態１（Ｆ）を示す。
【図７】同じく、実施形態１（Ｇ）を示す。
【図８】フィルターレンズとフィルターレンズを保持するレンズ保持枠とレンズ保持枠に隣接する外枠とを一体に固着して構成される本発明によるフィルターの要部断面図であり、実施形態２（Ａ）を示す。
【図９】同じく、実施形態２（Ｂ）を示す。
【手続補正３】
【補正対象書類名】明細書
【補正対象項目名】００１６
【補正方法】変更
【補正の内容】
【００１６】
本発明によるフィルターの実施形態２は、図８〜９に示すように、フィルターレンズ３とフィルターレンズ３を保持するレンズ保持枠２とレンズ保持枠２に隣接する外枠１とを一体に固着したものである。固着するための手法としては、接着剤による接着、ホットメルト、融着などが適用される。この実施形態においては、図９に示すように、フィルターレンズ３を押えるリン青銅などからなるレンズ押さえばね環４がフィルターレンズ３とレンズ保持枠２と外枠１と共に一体に固着されるのが望ましい。５は内側（裏側）（図８〜９においては下側）にレンズ鏡筒に装着するためレンズ保持枠２に形成した雄ネジ部、６は外側（表側）（図８〜９においては上側）に他の関連部品を装着するため外枠１に形成した雌ネジ部である。
【手続補正４】
【補正対象書類名】明細書
【補正対象項目名】００１７
【補正方法】変更
【補正の内容】
【００１７】
本発明の最も特徴とするところは、外枠をロックウエル硬度（ＨＲ）がＲ４０〜Ｒ１３０の合成樹脂、好ましくはＲ１００〜Ｒ１２０の合成樹脂で構成したことにある。外枠１を特定の硬度を有する合成樹脂で構成することにより、フィルターを何かにぶつけてもレンズを損傷することがない衝撃吸収機能を有するとともに、図１〜９に示すように、外枠１に関連部品を装着するための雌ネジを切ることが可能となるため、つぎのような効果も期待することができる。
【手続補正５】
【補正対象書類名】明細書
【補正対象項目名】００１８
【補正方法】変更
【補正の内容】
【００１８】
すなわち、外枠１を柔らかいエラストマーにより構成した場合には、外枠にネジを切ることができないため、アルミニウムなどから形成されたレンズ保持枠２を外側（表側）（図１〜９においては上側）に延伸させ、この金属製のレンズ保持枠２に雌ネジ部を形成しなければならないから金属部分が長くなり、材料コスト面で不利となるが、外枠１に関連部品を装着するための雌ネジを切ることができれば、金属部分を減らすことができるから、材料コスト面で有利なものとすることができる。